【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
入力色信号を、記録装置で用いる濃色材の色材値信号、および前記濃色材と同一色相であり濃度が低い、前記記録装置で用いる淡色材の色材値信号を含む色材値信号に変換するための色処理方法において、
前記濃色材と前記淡色材との合計色材量を、色材量制限値と前記記録装置で用いる色材の色材量との関係から求める第１工程と、
前記濃色材の色材量と前記淡色材の色材量との合計で表現される色の濃度を求める第２工程と、
前記合計色材量と前記濃度とに基づき、前記濃色材および前記淡色材それぞれの色材値信号を求める第３工程と、
を有することを特徴とする色処理方法。
【請求項２】
前記第１工程は、前記入力信号が示す色の濃度が所定値より低い場合は前記淡色材のみの色材量とし、前記入力信号が示す色の濃度が前記所定値以上場合は前記淡色材の色材量に前記濃色材の色材量を加えた色材量とする、前記合計色材料を求めることを特徴とする請求項１に記載の色処理方法。
【請求項３】
前記第１工程は、
前記色材量制限値と、前記入力信号に対応する色材の色材量の合計との差を求める工程と、
前記入力信号に対応する複数の色材の色材量から、それぞれの色材について前記合計色材量が増加可能な色材量を求める工程と、
前記複数の色材におけるそれぞれの前記増加可能な色材量の割合に基づいて、前記差を前記濃色材と前記淡色材の合計色材量に加える工程と、
を有することを特徴とする請求項１または請求項２に記載の色処理方法。
【請求項４】
さらに、記録装置で用いる色材の１次色、２次色、３次色について、入力色信号に対する色材の色材量を規定した１次元テーブルを生成する工程と、
前記１次元テーブルから、前記入力色信号によって規定される格子点に対応する色材量を計算し、３次元テーブルを生成する工程とを有し、
前記第１工程は、前記３次元テーブルに基づいて前記関係を求め、
前記第２工程は、前記３次元テーブルに基づいて、前記濃色材の色材量と前記淡色材の色材量との合計で表現される濃度を求めることを特徴とする請求項１から請求項３のいずれか一項に記載の色処理方法。
【請求項５】
前記１次元テーブルおよび前記３次元テーブルは、ユーザ指示に基づきそれぞれの色材の色材量が調整可能であることを特徴とする請求項４に記載の色処理方法。
【請求項６】
前記色材値信号は、パッチを測色して得られた測色値に基づいて作成されたマップに基づき、前記濃度と前記合計色材量とから求められることを特徴とする請求項１から請求項５のいずれか一項に記載の色処理方法。
【請求項７】
前記３次元テーブルを生成する工程は、
ＣＭＹ空間における立方体の頂点を結ぶ所定のライン上の格子点、および、その内部の格子点に基づき、前記CMY空間において前記入力色信号が属する四面体を判定する工程と、
前記判定された四面体を規定する前記１次元テーブルに基づき、前記入力色信号に対応する色材量を算出する工程と、
を有することを特徴とする請求項５から請求項６のいずれか一項に記載の色処理方法。
【請求項８】
前記３次元テーブルを生成する工程は、
少なくとも前記１次色の１次元テーブルを入力し、前記３次色の１次元テーブルを入力しない場合は、前記１次色の１次元テーブルを代替とする工程を有することを特徴とする請求項５から請求項７のいずれか一項に記載の色処理方法。
【請求項９】
前記３次元テーブルを生成する工程は、
少なくとも前記１次色の１次元テーブルを入力し、前記２次色の１次元テーブルを入力しない場合は、前記１次色の１次元テーブルを代替とする工程を有することを特徴とする請求項５から請求項８のいずれか一項に記載の色処理方法。
【請求項１０】
前記濃色材は、シアン、マゼンタの色材であり、前記淡色材は、それぞれシアン、マゼンタと同一の色相を有し、シアン、マゼンタより濃度の薄い、淡シアン、淡マゼンタの色材であることを特徴とする請求項１から請求項９のいずれか一項に記載の色処理方法。
【請求項１１】
入力色信号を、記録装置で用いる濃色材の色材値信号、および前記濃色材と同一色相であり濃度が低い、前記記録装置で用いる淡色材の色材値信号を含む色材値信号に変換するための色処理装置において、
前記濃色材と前記淡色材との合計色材量を、色材量制限値と前記記録装置で用いる色材の色材量との関係から求める第１手段と、
前記濃色材の色材量と前記淡色材の色材量との合計で表現される色の濃度を求める第２手段と、
前記合計色材量と前記濃度とに基づき、前記濃色材および前記淡色材それぞれの色材値信号を求める第３手段と、
を有することを特徴とする色処理装置。
【請求項１２】
コンピュータ装置を制御して、請求項１乃至請求項６のいずれか一項に記載された色処理方法の各工程として機能させることを特徴とするプログラム。
【手続補正２】
【補正対象書類名】明細書
【補正対象項目名】発明の名称
【補正方法】変更
【補正の内容】
【発明の名称】色処理方法および色処理装置
【手続補正３】
【補正対象書類名】明細書
【補正対象項目名】０００１
【補正方法】変更
【補正の内容】
【０００１】
本発明は、色処理方法および色処理装置に関し、特に、画像信号をインクやトナーなどの色材量の信号に変換する際の色分解に関するものである。
【手続補正４】
【補正対象書類名】明細書
【補正対象項目名】００１８
【補正方法】変更
【補正の内容】
【００１８】
そのために本発明の色処理方法は、入力色信号を、記録装置で用いる濃色材の色材値信号、および前記濃色材と同一色相であり濃度が低い、前記記録装置で用いる淡色材の色材値信号を含む色材値信号に変換するための色処理方法において、前記濃色材と前記淡色材との合計色材量を、色材量制限値と前記記録装置で用いる色材の色材量との関係から求める第１工程と、前記濃色材の色材量と前記淡色材の色材量との合計で表現される色の濃度を求める第２工程と、前記合計色材量と前記濃度とに基づき、前記濃色材および前記淡色材それぞれの色材値信号を求める第３工程と、を有することを特徴とする。
【手続補正５】
【補正対象書類名】明細書
【補正対象項目名】００１９
【補正方法】変更
【補正の内容】
【００１９】
また、本発明の色処理装置は、入力色信号を、記録装置で用いる濃色材の色材値信号、および前記濃色材と同一色相であり濃度が低い、前記記録装置で用いる淡色材の色材値信号を含む色材値信号に変換するための色処理装置において、前記濃色材と前記淡色材との合計色材量を、色材量制限値と前記記録装置で用いる色材の色材量との関係から求める第１手段と、前記濃色材の色材量と前記淡色材の色材量との合計で表現される色の濃度を求める第２手段と、前記合計色材量と前記濃度とに基づき、前記濃色材および前記淡色材それぞれの色材値信号を求める第３手段と、を有することを特徴とする。
【手続補正６】
【補正対象書類名】明細書
【補正対象項目名】００２０
【補正方法】変更
【補正の内容】
【００２０】
以上の構成によれば、出力される濃度特性と、出力される濃インクと淡インクの合計色材量に基づき、入力色信号から濃インクと淡インクとを含む色材への色分解を行うことができる。
【手続補正７】
【補正対象書類名】明細書
【補正対象項目名】００２１
【補正方法】変更
【補正の内容】
【００２１】
この結果、出力となる濃度特性を保持しつつ、総色材量を総色材量制限値を超えないような色分解を実現するテーブルを提供することができる。